(57)【要約】      （修正有）【課題】連接線が、電源アダプタ内部に設置された捲き戻し装置により、電源アダプタの外側に引き出されて使用することができ、また、電源アダプタの内部に捲き戻されて収納されることができる電源アダプタを提供する。【解決手段】ケーシング１０と電源入力部と連接線３０が備えられ、ケーシングは、内部に、捲き戻し装置１５が設けられ、一側に、繰出し穴１１と一つ以上の出力部１２が設けられ、電源入力部は、ケーシングに設置され、連接線は一端が繰出し穴を介してケーシング内へ伸ばし、また、捲き戻し装置に捲き戻されることができ、他端が、電気コネクタ４０に連接され、この電気コネクタが、繰出し穴から露出する。【選択図】図２
0003141522.tif 000002
【実用新案登録請求の範囲】
【請求項１】
内部に、捲き戻し装置が設けられ、一側に、繰出し穴とひとつ以上の出力部が設けられるケーシングと、
前記ケーシングに設置される電源入力部と、
一端が前記繰出し穴を介して前記ケーシング内へ伸ばし、また、前記捲き戻し装置に連接され、前記捲き戻し装置に捲き戻されることができ、他端が電気コネクタに連接され、前記電気コネクタが前記繰出し穴から露出する連接線と、
を備えることを特徴とする電源アダプタ。
【請求項２】
前記捲き戻し装置はスプールであることを特徴とする請求項１に記載の電源アダプタ。
【請求項３】
前記出力部はＵＳＢスロットやシガーライターソケットや交流出力ソケットであることを特徴とする請求項１に記載の電源アダプタ。
【請求項４】
前記電源入力部は、電源プラグであることを特徴とする請求項１に記載の電源アダプタ。
【請求項５】
前記電源入力部は電源線であり、前記電源線の一端に継ぎ手を有し、他端が、前記ケーシングの一側に連接されることを特徴とする請求項１に記載の電源アダプタ。
【考案の詳細な説明】
【技術分野】
【０００１】
本考案は、電源アダプタに関し、特に、電源アダプタの外側に引き出すことや、電源アダプタの内部に捲き戻すことができる連接線が設置される電源アダプタに関する。
【背景技術】
【０００２】
既存の移動式電子製品（例えば、キーチェーンドライブや携帯電話等）は、その所定の電池を利用して、この電子製品に必要とする電力を供給し、電池の電源が枯渇すると、電子製品が使用できる電源がなくなり、この時、電源アダプタを使用して、電源の補充や伝送しなければならない。
【０００３】
従来の電源アダプタは、ケーシングを持ち、このケーシングに商用電源や車載用電源等に連結するための電源入力部が設置されて、また、ケーシングの一側に、更に、ＵＳＢスロットが設けられる。このような電子装置は、一般として、伝送線が配置され、伝送線の一端に、ケーシングのＵＳＢスロットに挿着するためのＵＳＢプラグが設けられ、他端が電子装置に連接され、これにより、前記電源アダプタと伝送線とを介して、電源を電子装置に伝送して、電子装置に電源を補充するか、または直接に電源を供給する。
【０００４】
ただし、従来の電源アダプタは、使用する時、電子装置に付属する伝送線を利用しなければならなく、もしユーザーが伝送線を持っていない場合、電源アダプタは、作用を発揮することができなくなる。そのため、ユーザーは、電源アダプタだけでなく、伝送線を持ち歩くことも必要であるから、ユーザーにとって、伝送線を巧く収納することができないため、不便である。
【０００５】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００６】
本考案の主な目的は、捲き戻すことができる連接線が設けられ、前記連接線が、電源アダプタの内部に設置された捲き戻し装置により、電源アダプタの外側に引き出されて使用することができ、また、前記電源アダプタの内部に捲き戻されて収納されることができる電源アダプタを提供する。
【０００７】
本考案の他の目的は、捲き戻し可能な連接線と予めに設置された出力部を介して、それぞれ、異なる電子装置に連接され、電源アダプタが、同時に、一つ以上の電子装置に給電できる電源アダプタを提供する。
【課題を解決するための手段】
【０００８】
本考案は、上記の目的を達成するため、内部に捲き戻し装置が設けられ、一側に、繰出し穴と一つ以上の出力部が設置されるケーシングと、該ケーシングに設置される電源入力部と、一端が、該繰出し穴を通過して該ケーシング内へ伸ばし、該捲き戻し装置に連接され、該捲き戻し装置に捲き戻されることができ、もう一端に、電気コネクタが連接され、該電気コネクタが、該繰出し穴から露出する連接線と、が備えられる電源アダプタである。
【０００９】
本考案によれば、以下の利点が得られ、本考案に係る電源アダプタは、充電することが必要とする電子装置に連接される時、電子装置に付属する伝送線を使用せず、直接に、電源アダプタの連接線を引き出して、該電子装置に連接するだけで、電源を伝送でき、使用しない時、連接線が、自動的に、電源アダプタの内部に捲き戻され、そのため、ユーザーは、電子装置に付属する伝送線を持ち歩くことが必要しなく、電源アダプタの操作や実用性が、大幅に向上される。
【００１０】
以下、図面を参照しながら、本考案の特徴や技術内容について、詳しく説明するが、本考案は、それによって制限されることがない。
【考案を実施するための最良の形態】
【００１１】
図１と図２に示される本考案に係る電源アダプタの第１の実施例は、ケーシング１０と、電源入力部と、連接線３０及び電気コネクタ４０が備えられる。
【００１２】
前記ケーシング１０は約角形であり、一側に、繰出し穴１１（図２のように）が設けられ、もう一側に、出力部１２が設けられ、本実施例において、前記出力部１２がＵＳＢスロットである。ケーシング１０の底面１３には、凹むように開放状の収納槽１４が形成される。ケーシング１０の内部には適当な位置に、捲き戻し装置１５が設けられ、自動的に前記連接線３０を捲き戻す機能を持ち、本実施例において、捲き戻し装置１５がスプールである。ユーザーが連接線３０を使用しない時、捲き戻し装置１５により、連接線３０を自動的にケーシング１０内に捲き戻し収納することができる。捲き戻し装置１５は従来技術であり、また、本考案において、前記捲き戻し装置１５の構造を制限しないため、説明を省略する。
【００１３】
電源入力部は、本実施例において、電源プラグ２０であり、前記電源プラグ２０は、二つの平形おす端子２１を有し、また、回動可能にケーシング１０に連結する。前記二つの平形おす端子２１を商用電源ソケットに差込まれることにより、商用電源を、連接線３０を介して、充電する電子装置に入力する。電源プラグ２０は、使用しない時、回動されて収納槽１４内に収納される。
【００１４】
前記連接線３０は、内部に設置された導体（未図示）と、前記導体の外部に覆う絶縁層（未図示）が備えられる構造であるが、連接線３０の構造と形式は、制限が無く、ケーブルやトラバース等でもよい。本実施例において、前記連接線３０は扁平式ケーブルである。
【００１５】
前記連接線３０は、一端が、前記繰出し穴１１を通してケーシング１０の内部まで伸ばし捲き戻し装置１５に連接されて、捲き戻し装置１５に捲き戻すことができる，前記捲き戻し装置１５はケーシング１０の内部における回路板（未図示）等の部材に電気的に接続され、これにより、連接線３０が、ケーシング１０に電気的に接続され、また、連接線３０が、可動的に繰出し穴１１に嵌設され、これにより、連接線３０が、ケーシング１０から引き出されることができ、また、ケーシング１０内に收納されることができる。
【００１６】
電気コネクタ４０は、本実施例において、Ｍｉｎｉ−ＵＳＢ連接器であるが、これにより制限されることがなく、電気コネクタ４０は、ＵＳＢ連接器や電源連接器やファイアワイア（ｆｉｒｅｗｉｒｅ）連接器等の連接器であってもよく、また、ソケットやプラグの形式であってもよい。前記電気コネクタ４０は、前記連接線３０の他端に連接され繰出し穴１１から露出する。電気コネクタ４０は、内部に、複数の端子（未図示）が設けられ、それら複数の端子は導電性材料からなり、前記連接線３０の内部における導体（未図示）に電気的に接続され、これにより、電気コネクタ４０が連接線３０に電気的に接続される。
【００１７】
図３乃至図５は、本考案の第２の実施例であり、第１の実施例と異なる点は、前記連接線３０の他端に前記電気コネクタ４０を連接するためのアダプタープラグ３１が設けられ、また前記アダプタープラグ３１に、第１の挿着部（本実施例においては挿入孔３１１である）が設けられることである。前記連接線３０は前記アダプタープラグ３１が設置されることにより、異なる電気コネクタ４０を使用することができる。
【００１８】
本実施例において、電気コネクタ４０は電源連接器であるが、これと限ることがなく、前記電気コネクタ４０は、Ｍｉｎｉ−ＵＳＢ連接器やＵＳＢ連接器やファイアワイア連接器等の連接器であっても良い。前記電気コネクタ４０は、一端に、前記第１の挿着部に対応する第２の挿着部（本実施例においては端子４１である）が設けられ、第１の挿着部（即ち、挿入孔３１１である）と第２の挿着部（即端子４１）とが、互いに挿着されることにより、アダプタープラグ３１と電気コネクタ４０は、電気的に接続される。
【００１９】
ケーシング１０は、さらにアダプタープラグ３１に対応する收容槽１６が設けられ、前記收容槽１６は、ケーシング１０の一側を貫通し、前記繰出し穴１１が收容槽１６内に位置する（図５のように）。前記連接線３０がケーシング１０の内部に捲き戻される時、前記アダプタープラグ３１が收容槽１６内に收容されて、ケーシング１０から突出しなく、これにより、ユーザーが、持ち歩く時や保管する時、より便利になる。
【００２０】
図６と図７は、本考案の第３の実施例であり、第１の実施例と異なる点は、前記電源アダプタに、ケーシング１０と、電源入力部と、二つの連接線３０、３０’及び二つの電気コネクタ４０、４０’が備えられる。
【００２１】
ケーシング１０は、一側に二つの繰出し穴１１、１１’（図７のように）と三つの出力部１２、１２’、１２”を有し、前記二つの繰出し穴１１、１１’は、上下に並列に設置される。本実施例において、前記出力部１２がシガーライターソケットであって、前記出力部１２’が交流出力ソケットであって、前記出力部１２”がＵＳＢスロットである。それらの出力部１２、１２’、１２”が、それぞれ、適当な電子装置に連接されることができ、必要とする電源を供給する。
【００２２】
ケーシング１０は、内部における適当な位置に、二つの捲き戻し装置１５、１５’が設けられ、前記二つの捲き戻し装置１５、１５’は、自動的に前記二つの連接線３０、３０’を捲き戻す機能を有する。本実施例において、前記二つの捲き戻し装置１５、１５’が、ともにスプールであり、ユーザーが、この二つの連接線３０、３０’を使用しない時、二つの連接線３０、３０’を、二つの捲き戻し装置１５、１５’により自動的にケーシング１０内に捲き戻すことができる。、前記二つの捲き戻し装置１５、１５’が、従来技術であるため、説明を省略し、また、本考案は、二つの捲き戻し装置１５、１５’の構造を制限することはない。
【００２３】
前記電源入力部は、本実施例において、電源線２０’であり、電源線２０’は、一端に、継ぎ手が設けられ、本実施例によると、この継ぎ手はシガーライタープラグ２１’であって、車内に設けられたシガーライターソケットに差込まれることで、自動車の電源を取得することができる。
【００２４】
前記電源線２０’は、他端が電気的に接続されるように前記ケーシング１０の一側に固定されて、、或いは、図８のように、ケーシング１０の一側に、第１の電源連接器１７を設け、前記電源線２０’は、他端に前記第１の電源連接器１７に挿着可能な第２の電源連接器２２’が設けられ、これにより、ケーシング１０と電源線２０’とが、互いに分離や接続することができ、電源線２０’とケーシング１０とを、別々に保管することができる。
【００２５】
前記二つの連接線３０、３０’は、内部に、導体が設けられ（未図示）、また、前記導体は外部に絶縁層が覆われる（未図示）構造であり、その構造と形式は、特に制限が無く、ケーブルやトラバース等であってもよい。本実施例において、前記二つの連接線３０、３０’は、扁平式ケーブルである。
【００２６】
前記二つの連接線３０、３０’は、一端が、それぞれ、前記二つの繰出し穴１１、１１’を通して前記ケーシング１０の内部に伸ばして、前記二つの捲き戻し装置１５、１５’に連接される。前記二つの連接線３０、３０’が前記二つの捲き戻し装置１５、１５’により捲き戻されることができ、前記二つの捲き戻し装置１５、１５’は、更に、ケーシング１０の内部における回路板（未図示）等の部材に電気的に接続され、これにより、前記二つの連接線３０、３０’が、前記ケーシング１０に電気的に接続され、また、前記二つの連接線３０、３０’は、それぞれ、可動的に、前記二つの繰出し穴１１、１１’を貫通し、これにより、前記二つの連接線３０、３０’は、ケーシング１０の外へ引き出されることやケーシング１０内に收納されることができる。
【００２７】
前記電気コネクタ４０、４０’は、それぞれ連接線３０、３０’の他端に対応して連接され、本実施例において、前記電気コネクタ４０は、ファイアワイア連接器で、例えば、ｉＰｏｄ等の電子装置に挿着されて電源を伝送することができる。前記電気コネクタ４０’は、Ｍｉｎｉ−ＵＳＢ連接器であって、また、電気コネクタ４０、４０’はＵＳＢ連接器や他の連接器であってもよく、且つ、ソケットやプラグの形式に限ることはない。
【００２８】
前記二つの電気コネクタ４０、４０’は、前記二つの繰出し穴１１、１１’から露出し、内部に、複数の端子（未図示）が設けられる。それら複数の端子は導電性材料からなり、それぞれ二つの連接線３０、３０’の内部における導体（未図示）に電気的に接続され、これにより、二つの電気コネクタ４０、４０’が、二つの連接線３０、３０’に電気的に接続される。
【００２９】
図９は、本考案の第４の実施例であり、第３の実施例と異なる点は、電源入力部である電源線２０”は構造が異なることであり、電源線２０”の一端における継ぎ手が電源プラグ２１”であって、商用電源ソケットに差込まれることで商用交流電源を取得する。前記電源線２０”は、他端に、第１の電源連接器１７と互いに挿着するための第２の電源連接器２２”が設けられ、また、前記電源線２０”の途中に、商用交流電源を直流電源に変換するための変圧器２３”が設置され、これにより、前記ケーシング１０は、前記電源線２０”に合わせて、室内でも使用できる電源アダプタを形成する。
【００３０】
以上のように、本考案に係る電源アダプタは、次の特点と機能が得られ、
１、本考案に係る電源アダプタによれば、ケーシングの内部に捲き戻し装置が設置されることにより、連接線が前記捲き戻し装置により捲き戻されることができ、電子装置と連接する時、直接に、連接線を電源アダプタから引き出して電子装置に連接すれば、電子装置に対して、電源を補充することや直接に電源を供給することができる。そのため、本考案は、電子装置に付属する伝送線がなくても、電源を伝送することができ、そのため、ユーザーは電子装置に付属する伝送線を携行する必要が無く、ユーザーがより便利になり、また、伝送線の携行や保管の問題も解消される。
２、本考案に係る電源アダプタを使用しない時、連接線を自動的に電源アダプタのケーシングの内部に捲き戻されて収納されることができ、操作がより便利になり、より実用的になる。
３、ユーザーが別に電子装置に付属する伝送線を携行することを必要しないため、ユーザーが、より便利になり、また、伝送線の携行や保管の問題が解消される。
４、本考案に係る電源アダプタは、連接線と出力部を介して複数の電子装置に連接されることができるため、電源アダプタにより、同時に複数の電子装置に給電でき、適用性がより良い。
５、本考案に係る電源アダプタは、電源線を交換することにより、車載用や室内電源に連接され電子装置に給電でき、適用性がより良い。
【００３１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３２】
【図１】図１は本考案の第１の実施例の斜視図である。
【図２】図２は本考案の第１の実施例の他の角度から見る斜視概念図である。
【図３】図３は本考案の第２の実施例の斜視図である。
【図４】図４は本考案の第２の実施例の他の角度から見る斜視図である。
【図５】図５は本考案の第２の実施例が電気コネクタに連接される時の斜視概念図である。
【図６】図６は本考案の第３の実施例の斜視図である。
【図７】図７は本考案の第３の実施例の連接線が引き出された時の斜視概念図である。
【図８】図８は本考案の第３の実施例の他の角度から見る斜視図である。
【図９】図９は本考案の第４の実施例の斜視図である。
【符号の説明】
【００３３】
１０      ケーシング
１１      繰出し穴
１１’    繰出し穴
１２      出力部
１２’    出力部
１２”    出力部
１３      底面
１４      収納槽
１５      捲き戻し装置
１５’    捲き戻し装置
１６      收容槽
１７      第１の電源連接器
２０      電源プラグ
２０’    電源線
２０”    電源線
２１      平形おす端子
２１’    シガーライタープラグ
２１”    電源プラグ
２２’    第２の電源連接器
２２”    第２の電源連接器
２３”    変圧器
３０      連接線
３０’    連接線
３１      アダプタープラグ
３１１    挿入孔
４０      電気コネクタ
４０’    電気コネクタ
４１      端子
【図１】
0003141522.tif 000003
【図２】
0003141522.tif 000004
【図３】
0003141522.tif 000005
【図４】
0003141522.tif 000006
【図５】
0003141522.tif 000007
【図６】
0003141522.tif 000008
【図７】
0003141522.tif 000009
【図８】
0003141522.tif 000010
【図９】
0003141522.tif 000011